(57)【要約】【課題】  積載配置されるラックの崩れ等を容易に防止できるようにする。【解決手段】  ベース体２と、ベース体２の端部それぞれを連結するように取り外し可能に装着される連結体３とからなり、装着により形成されるベース体２と連結体３とに囲まれる部分を、互いに離脱することが阻止されるラックそれぞれの棒状部材（２０）（２１）それぞれの配置空間（Ｓ）とすることを特徴とするラック離脱防止具。【選択図】図１
0003170355.tif 000002
【実用新案登録請求の範囲】
【請求項１】
ベース体と、
前記ベース体の端部それぞれを連結するように取り外し可能に装着される連結体とからなり、
前記装着により形成される前記ベース体と前記連結体とに囲まれる部分を、互いに離脱することが阻止されるラックそれぞれの棒状部材それぞれの配置空間（Ｓ）とすることを特徴とするラック離脱防止具。
【請求項２】
前記連結体が弾性鋼材よりなりなる１本の棒体から構成され、その弾性に基づく変形によって取り外し可能な装着が行われる請求項１記載のラック離脱防止具。
【請求項３】
前記棒体の両端の近傍部分が互いに交差状に位置し、さらにその先端部分それぞれが折り曲げ状の操作部とされ、前記操作部それぞれが両側から内側に押し込まれることで全体が開き、その開き状態において装着がなされる請求項２記載のラック離脱防止具。
【考案の詳細な説明】
【技術分野】
【０００１】  この考案は、ラックを積み重ね使用する場合等において使用されるラック離脱防止具に関する。
【背景技術】
【０００２】  倉庫内等においてはラックが用いられ、収納物が多い場合には、図３に示すように、ラックＲが複数段に積載配置される。その積載は適宜の位置決め構造を介してなされるが、地震等による大きな振動が加わった場合には崩れてしまうことがあった。したがって、従来においては固定片でラックどうしネジ止めするなどしてその対応を行っていたが、その取り付け、取り外しの作業に手間がかかった。
【考案の概念】
【考案が解決しようとする課題】
【０００３】  この考案では、上記の積載配置されるラックの崩れ等を容易に防止できるラック離脱防止具を提供することを目的とする。
【課題を解決するための手段】
【０００４】  この考案では、ベース体と、前記ベース体の端部それぞれを連結するように取り外し可能に装着される連結体とからなり、前記装着により形成される前記ベース体と前記連結体とに囲まれる部分を、互いに離脱することが阻止されるラックそれぞれの棒状部材それぞれの配置空間とすることを特徴とするラック離脱防止具を提供する。
【０００５】  上記構成によれば、ラックそれぞれの棒状部材それぞれの配置空間の形成がベース体に連結体を取り外し可能に装着することで行え、これによりラックの離脱防止が、また、ラックの分離が容易になされる。ラックが積載される場合に使用されることでラックが崩れることが防止され、並設されるラックにおいて使用されることでもラック全体が安定固定される。
【０００６】  連結体が弾性鋼材よりなりなる１本の棒体から構成され、その弾性に基づく変形によって取り外し可能な装着が行われる構成とされることで、構造が簡単で、かつ、操作が容易なものとなる。さらに、棒体の両端の近傍部分が互いに交差状に位置し、その先端部分それぞれが折り曲げ状の操作部とされ、操作部それぞれが両側から内側に押し込まれることで全体が開き、その開き状態において装着がなされる構成とされることで、操作がさらに容易なものとなる。
【考案の効果】
【０００７】  この考案のラック離脱防止具を用いることで、積載配置されるラックの崩れ等を容易に防止できるようになる。
【図面の簡単な説明】
【０００８】
【図１】  この考案のラック離脱防止具の実施形態の斜視図
【図２】  この考案のラック離脱防止具の実施形態の分離状態の斜視図
【図３】  ラックの積載配置構成を示す側面図
【考案を実施するための形態】
【０００９】  図１はこの考案のラック離脱防止具の実施形態の斜視図である。ラック離脱防止具１はベース体２と、そのベース体２に取り外し可能に装着される連結体３とからなる。
【００１０】  ベース体２は所定形状に裁断加工された鋼板が折り曲げられて形成され、側面形状がコ字型で、センター部４とそのセンター部４の上下両端より折れ曲がり延び出す一対の折れ曲がり部６とからなり、折れ曲がり部６それぞれの先端側の両側位置には相対する位置に係止凹部８のそれぞれが形成されている。
【００１１】  連結体３は弾性鋼材よりなりなる１本の棒体が折り曲げられて形成されており、両端の近傍部分１０は互いに交差状に位置し、さらにその先端部分それぞれが折り曲げられて操作部１２とされている。連結体３は一対の長片部１４それぞれの両端近傍部分それぞれが係止凹部８それぞれに係止されることでベース体２に離脱することがないように取り付けられている。
【００１２】  以下、上記ラック離脱防止具１の使用について説明する。図２はベース体２と連結体３とが分離された状態を示し、この分離した状態においてベース体２をその内部に上下に積載配置されたラックそれぞれの下桟２０と上桟２１（図１、図２において点線図示）とが位置するように装着し、そのベース体２に連結体３を装着する。図３のＡ、Ｂのそれぞれが離脱防止具１の装着位置を示し、ラックの逆側面においても同様の位置に装着使用される。連結体３の装着は、まず、連結体３を斜め方向としてその長片部１４間に上側折り曲げ部６を位置させ、さらに、回転変位することで長片部１４それぞれの上端近傍部分それぞれを上側折り曲げ部６の係止凹部８それぞれに係止させる。次に連結体３を片手で持って操作部１２それぞれを親指と人差し指との間に保持し、両側から操作部１２を弾力に抗して内側に押し込む（矢印Ｘ）。これにより長片部１４の下部が開き（矢印Ｙ）、その開き状態において下側折り曲げ部６の先端を長辺部１４間に通すようにして長辺部１４を係止凹部８の位置まで移動する。ここで操作部１２それぞれの押し込みをやめることで、長辺部１４は弾力的に復帰して係止凹部８それぞれに係止する。
【００１３】  この状態において連結体３は長辺部１４それぞれが係止凹部８それぞれに係止することでベース体２からに離脱することがなく、これにより、ベース体２のセンター部４と両折れ曲がり部６、６と連結体３の両長辺部１４、１４とにより囲まれる空閭Ｓにラックそれぞれの下桟２０と上桟２１とが積載状態に保持され、その結果、下段のラック上から上段のラックが容易に落下離脱することが回避される。
【００１４】  下段のラック上から上段のラックを取り外す際には、上記と同様に連結体３を片手で持って両側から操作部１２を弾力に抗して内側に押し込んで長片部１４間を開き、以下は、上記装着の際の逆動作を行ってラック離脱防止具１を取り外す。
【００１５】  上記のようにラックそれぞれの上桟、下桟それぞれの配置空間の形成がベース体に連結体を取り外し可能に装着することで行え、これによりラックの離脱防止が、また、ラックの分離が容易になされる。
【００１６】  上記の連結体３の装着、取り外しに際し、両端の近傍部分１０が互いに交差状に位置し、さらにその先端部分それぞれが折り曲げられて操作部１２とされていることで、片手で持ってその操作部１２を両側から内側に押し込むことで両長辺部１４、１４間を容易に開くことができ、その作業が容易となされる。また、下側折り曲げ部６の前両側角部２３それぞれがＲ形状とされていることで、その部分が案内となって下側折り曲げ部６の先端を長辺部１４、１４間に通すことがスムーズになされ、これにより、装着作業が容易になされる。
【符号の説明】
【００１７】１    ラック離脱防止具
２    ベース体
３    連結体
２０  桟材（棒状部材）
２１  桟材（棒状部材）
Ｒ    ラック
Ｓ    配置空間
【図１】
0003170355.tif 000003
【図２】
0003170355.tif 000004
【図３】
0003170355.tif 000005